(57)【要約】【課題】局部洗浄ノズルを出し入れする局部洗浄装置のノズル出し入れ部への汚水の飛散を防いで、汚れの付着によるトイレの悪臭原因をなくすこと。【解決手段】ボウル部１１の後部におけるリム部１２内部に、該リム部１２の後方Ｂに開口した断面略コ字状の収納空間１３を形成し、局部洗浄装置１のノズル出し入れ部２を該リム部１２の後方Ｂから収納空間１３に収納すると共に、ノズル出し入れ部２の前方Ｆに臨んだリム部１２の内側壁１２ｂに局部洗浄ノズル３が出退自在なリム開口部１４を形成した便器装置である。【選択図】図１
2007191901.tif 000002
【特許請求の範囲】
【請求項１】
人体の局部に向けて噴流水を噴出する伸張・収縮自在な局部洗浄ノズルと該局部洗浄ノズルを出し入れするノズル出し入れ部とを有する局部洗浄装置が付設された便器装置において、ボウル部の上端部にリム部が形成され、ボウル部の後部におけるリム部内部に、該リム部の後方に開口した断面略コ字状の収納空間を形成し、局部洗浄装置のノズル出し入れ部を該リム部の後方から収納空間に収納すると共に、ノズル出し入れ部の前方に臨んだリム部の内側壁に局部洗浄ノズルが出退自在なリム開口部を形成したことを特徴とする便器装置。
【請求項２】
上記リム開口部が形成される内側壁から上方に延長した上方延長線の位置よりも後方寄りの位置に局部洗浄装置の前面部を配置したことを特徴とする請求項１記載の便器装置。
【請求項３】
上記局部洗浄ノズルをノズル出し入れ部に格納した状態で局部洗浄ノズルの先端部のみをリム開口部に露出させるようにしたことを特徴とする請求項１記載の便器装置。
【請求項４】
上記局部洗浄ノズルをノズル出し入れ部に格納した状態でリム開口部を遮蔽するためのシャッター部材を設けたことを特徴とする請求項１乃至３のいずれかに記載の便器装置。
【請求項５】
上記シャッター部材が局部洗浄ノズルの先端部に取り付けられ、局部洗浄ノズルの伸張・収縮に応じてシャッター部材がリム開口部を開閉するようにしたことを特徴とする請求項４記載の便器装置。
【請求項６】
上記シャッター部材がリム開口部を閉じた状態でシャッター部材の外面がリム部の内側壁と略面一に配置されることを特徴とする請求項４又は５記載の便器装置。
【発明の詳細な説明】
【技術分野】
【０００１】
本発明は、人体の局部を洗浄するための局部洗浄装置が付設された便器装置に関するものである。
【背景技術】
【０００２】
従来より、水洗便器の後部上面に、伸張・収縮自在な局部洗浄ノズルを備えた局部洗浄装置を設置し、局部洗浄装置に局部洗浄ノズルを出し入れするノズル出し入れ部を突設し、ノズル出し入れ部から局部洗浄ノズルを伸張させて局部洗浄ノズルの先端部から人体の局部に向けて噴流水を噴出させて局部洗浄を行なうようにした便器装置が知られている（例えば特許文献１参照）。
【０００３】
また他の従来例として、例えば図８（ｂ）に示すように、局部洗浄装置のノズル出し入れ部２の下面開口２ａをボウル部の通水用リム５０ｂよりも内方Ｅに張り出すようにして設置し、このノズル出し入れ部２の下面開口２ａから局部洗浄ノズル３を伸張させるものが一般的である。
【０００４】
ところが従来のようにノズル出し入れ部２の下面開口２ａをボウル部１１の内方Ｅに張り出して設置した場合、ノズル出し入れ部２の下面開口２ａがボウル部１１内の溜め水に面して配置されることになり、このため溜め水からの跳ね水によってノズル出し入れ部２の下面開口２ａに汚れが直接付着しやすい。それにも関わらず、ノズル出し入れ部２の下面開口２ａは使用者の目に届き難い場所であるため、使用者はその付着した汚れを視認することが困難である。しかも局部洗浄ノズル３の近傍には温風ダクトなどの機能部品が配置されている場合もあり、そのためノズル出し入れ部２には機能部品による凹凸部が多く存在し、その凹凸部を十分に清掃することはきわめて困難であり、結果、清掃されずに残った汚れがトイレの悪臭の原因となっているのが現状である。
【特許文献１】特開２００２−２１３００４号公報
【発明の開示】
【発明が解決しようとする課題】
【０００５】
本発明は上記の従来の問題点に鑑みて発明したものであって、局部洗浄ノズルを出し入れする局部洗浄装置のノズル出し入れ部への汚水の飛散を防止でき、これにより汚れの付着によるトイレの悪臭原因をなくすようにした便器装置を提供することを課題とするものである。
【課題を解決するための手段】
【０００６】
前記課題を解決するために本発明は、人体の局部に向けて噴流水を噴出する伸張・収縮自在な局部洗浄ノズル３と該局部洗浄ノズル３を出し入れするノズル出し入れ部２とを有する局部洗浄装置１が付設された便器装置において、ボウル部１１の上端部にリム部１２が形成され、ボウル部１１の後部におけるリム部１２内部に、該リム部１２の後方Ｂに開口した断面略コ字状の収納空間１３を形成し、局部洗浄装置１のノズル出し入れ部２を該リム部１２の後方Ｂから収納空間１３に収納すると共に、ノズル出し入れ部２の前方Ｆに臨んだリム部１２の内側壁１２ｂに局部洗浄ノズル３が出退自在なリム開口部１４を形成したことを特徴としている。
【０００７】
このような構成とすることで、リム部１２内部に収納したノズル出し入れ部２に外部から飛散する汚水が付着するおそれがなくなり、しかも、局部洗浄ノズル３が出入りするリム開口部１４はリム部１２の内側壁１２ｂに形成されているので、上下から飛散する汚水が内側壁１２ｂのリム開口部１４から浸入しにくくなり、ノズル出し入れ部２や局部洗浄ノズル３等への汚れの付着を未然に防止できるようになる。
【０００８】
また、上記リム開口部１４が形成される内側壁１２ｂから上方に向かう上方延長線Ａの位置よりも後方Ｂ寄りの位置に局部洗浄装置１の前面部１ｂを配置するのが好ましく、この場合、局部洗浄装置１の前面部１ｂによってリム部１２の内側壁１２ｂの視界が妨げられることがない。つまり、リム部１２の内側壁１２ｂ全体が死角にならず、使用者の目が届きやすくなるので、リム部１２の内側壁１２ｂ全体の汚れの付着状態を一目で確認でき且つ清掃も容易となる。
【０００９】
また、上記局部洗浄ノズル３をノズル出し入れ部２に格納した状態で、洗浄ノズル３の先端部３ａのみをリム開口部１４に露出させるようにするのが好ましく、この場合、仮りにリム開口部１４から汚水が浸入しても、局部洗浄ノズル３の先端部３ａのみに汚水が付着するだけで済む。
【００１０】
また、上記局部洗浄ノズル３をノズル出し入れ部２に格納した状態でリム開口部１４を遮蔽するためのシャッター部材４を設けるのが好ましく、この場合、リム開口部１４からノズル出し入れ部２への汚水の飛散をシャッター部材４にて確実に防止できる。
【００１１】
また、上記シャッター部材４が局部洗浄ノズル３の先端部３ａに取り付けられ、局部洗浄ノズル３の伸張・収縮に応じてシャッター部材４がリム開口部１４を開閉するのが好ましく、この場合、局部洗浄ノズル３の伸張時には、シャッター部材４が局部洗浄ノズル３に追随してリム開口部１４を開放するので、局部洗浄ノズル３の先端部３ａをリム開口部１４から突出させて局部洗浄が可能となり、一方、局部洗浄ノズル３の収縮時に、シャッター部材４が局部洗浄ノズル３に追随してリム開口部１４を閉じるので、ノズル出し入れ部２は汚水の飛散を受けることがなく、そのうえシャッター部材４を開閉する駆動手段を別途設ける必要もなくなる。
【００１２】
また、上記シャッター部材４がリム開口部１４を閉じた状態でシャッター部材４の外面がリム部１２の内側壁１２ｂと略面一に配置されるのが好ましく、この場合、リム部１２の内側壁１２ｂを清掃する際にリム部１２の内側壁１２ｂとシャッター部材４の外面とを同時に清掃でき、清掃作業が容易になるだけでなく、最も汚れが付着しやすいシャッター部材４の外面を効率良く清掃できる。しかも、シャッター部材４がリム開口部１４を閉じた状態では、見た目にもリム部１２の内側壁１２ｂとシャッター部材４の外面とが連続した一体感が得られ、外観性が良くなる。
【発明の効果】
【００１３】
本発明は、ボウル部の後部におけるリム部内部に、該リム部の後方に開口した断面略コ字状の収納空間を形成し、局部洗浄装置のノズル出し入れ部を該リム部の後方から収納空間に収納することにより、局部洗浄装置のノズル出し入れ部への汚水の飛散を防止できるものであり、さらに、ノズル出し入れ部の前方に臨んだリム部の内側壁に局部洗浄ノズルが出退自在なリム開口部を形成したことにより、上下から飛散する汚水が内側壁のリム開口部から浸入しにくくなり、この結果、汚れの付着によるトイレの悪臭原因をなくすことができる。
【発明を実施するための最良の形態】
【００１４】
以下、本発明を添付図面に示す実施形態に基いて説明する。
【００１５】
本例の局部洗浄装置１は、図３、図５に示すように、ハウジング１ａの前面部１ｂからは略筒形のノズル出し入れ部２が突設されており、このノズル出し入れ部２内部に伸張・収縮自在な局部洗浄ノズル３が格納されている。
【００１６】
上記局部洗浄ノズル３は、例えばおしり洗浄ノズルとビデ洗浄ノズルとからなる。このような局部洗浄ノズル３の構造は、例えば特開２００２−２１３００４号公報などにより公知となっている技術を採用することができるので、詳細な説明は省略する。
【００１７】
一方、水洗便器１０は、図１、図２、図４に示すように、樹脂成形品からなる合成樹脂製便器で構成されている。本例では水洗便器１０のスカート部１０ａとリム部１２とボウル部１１とを別々に成形して一体に組み合わせるようにしている。なお図１ではリム部１２とボウル部１１とスカート部１０ａとをそれぞれ破断した斜視図を示している。ちなみに一般的な水洗便器は鋳込成形により全体が陶磁器質で一体に形成されているため、成形時に変形や割れが生じやすく、製品形状を複雑にできないのに対して、本発明に用いる合成樹脂製便器は寸法精度に優れ、成形時に変形や割れの恐れがないうえ複雑な形状の水洗便器１０を容易に形成できる利点がある。
【００１８】
上記水洗便器１０の上方両サイドには、図１に示すように、左右一対のアームレスト１５が配設され、アームレスト１５の支持軸１５ａが、水洗便器１０の後方に配置される支持ブロック（図示せず）にて支持されている。該支持ブロックはサイドカバー２０（図１、図２）にてカバーされている。
【００１９】
上記水洗便器１０は、封水を貯溜するボウル部１１を備え、ボウル部１１の底部の排出口２２（図５）が図示省略したトラップ部を介して外部配管に接続されている。ボウル部１１の上端部には該上端部を周回するように中空状のリム部１２が形成されている。本発明のリム部１２内部は従来のような通水路ではなく、成形によって生じる空間（以下、「収納空間１３」という。）であり、この収納空間１３内に前記局部洗浄装置１のノズル出し入れ部２が収納されている。なお、リム部１２内部を従来通りに通水路とし、後部におけるリム部１２の一部に通水されない遮蔽された非通水空間を形成し、この非通水空間に局部洗浄装置１のノズル出し入れ部２を収納してもよいものである。
【００２０】
以下の例では、リム部１２内部全体を非通水路とし、その下に洗浄水流路６を形成した場合を説明する。図５（ｂ）に示すように、局部洗浄装置１のノズル出し入れ部２が収納されるリム部１２において、その内側壁１２ｂの上部１２ｂ２を垂直壁とし、下部１２ｂ１を斜め後ろ下方に傾斜した傾斜壁とし、この下部１２ｂ１にリム開口部１４を開口させている。この場合、上部１２ｂ２が庇となって、上から流れ落ちる汚水が下部１２ｂ１に設けたリム開口部１４から浸入し難い構造となる。さらにリム開口部１４はシャッター部材４にて開閉される。図５の例では、シャッター部材４の下端部がリム開口部１４の下端側に上下回りに軸支されると共にシャッター部材４を閉じる方向（上方）に向かって付勢するバネ手段（図示せず）を備えている。これにより、下から跳ね上がる汚水がシャッター部材４で遮られることで、リム開口部１４に浸入しない構造となっている。
【００２１】
また、上記リム部１２の後部上面１２ａは、図２に示すように、斜め後ろ上方に傾斜しており、この傾斜に沿わせて局部洗浄装置１のノズル出し入れ部２が斜め前下がりに傾いた状態で収納されている。さらに、リム部１２の後部上面１２ａの中央側上端から更に上方に向かって飛散防止壁７が一体に突設されており、この飛散防止壁７によって局部洗浄装置１のハウジング１ａの前面部１ｂが覆われている。飛散防止壁７の高さは便座８及び便蓋９の回動の妨げとならない範囲に設定される。
【００２２】
また、上記便座８の下端両サイドの軸受け部８ｂは、局部洗浄装置１のハウジング１ａの前部両サイドから突出した軸部３０（図２）に軸支される。なお便蓋９の下端両サイドの軸受け部９ａはハウジング１ａの前部両サイドから突出した軸部３１（図２）に軸支される。ここで、図１のように上記便座８を起立させた状態ではその裏面８ａが飛散防止壁７よりも前方に位置し、且つ便座８の軸受け部８ｂがハウジング１ａの前面部１ｂよりも前方に位置するものであり、これにより、例えば便座８に飛散して流れ落ちる小便水は、飛散防止壁７の前面或いは便座８の軸受け部８ｂから下り傾斜した後部上面１２ａに流れ落ちてボウル部１１内に排水されるようになる。これにより、リム部１２の後部上面１２ａと局部洗浄装置１の前面部１ｂ下端との隙間２１（図２１）に汚水が浸入せず、さらに、飛散防止壁７の上端部と局部洗浄装置１の前面部１ｂ上端との隙間２２（図２１）にも汚水が浸入しないようになっている。なお、図４中の６０は、軸部３０が嵌合する凹所である。
【００２３】
さらに、上記ボウル部１１のリム部１２の下方には、図１に示すように、リム部１２と平行に周回する洗浄水流路６が形成されている。洗浄水流路６は、リム部１２の内側壁１２ｂよりも下方において内側壁１２ｂよりも後方に凹み且つ前面が開放された略コ字形溝で形成されている。洗浄水流路６の下面はボウル部１１の内表面に連設されている。洗浄水流路６の一部には図１に示す短尺の吐水管５が埋設されている。吐水管５の基端部は水道管から給水を受ける給水手段（図示せず）に接続され、吐水管５の先端は横向きの吐水口５ａとなっている。図１の例では、水洗便器１０の正面から見てリム開口部１４よりも左寄りにずれた位置（或いは右寄りにずれた位置でもよい）に吐水口５ａが開口し且つ吐水口５ａはリム開口部１４とは反対方向に向けて開口している。そして、上記横向きの吐水口５ａからの洗浄水が洗浄水流路６の周回方向（図１中の矢印Ｃで示す方向）に供給されることで、ボウル部１１内面において図１中の矢印Ｄに示すような旋回流水が形成され、少量の洗浄水でボウル部１１の内面全体を均一に洗浄できる仕組みとなっている。
【００２４】
しかして、図５（ｂ）に示す局部洗浄ノズル３の伸張時には、局部洗浄ノズル３の先端部３ａがシャッター部材４を押し開いてリム開口部１４から突出して洗浄水を噴射させて局部洗浄を行なうことができる。一方、局部洗浄ノズル３をノズル出し入れ部２に格納した状態（図５（ａ）の待機状態）では、シャッター部材４がリム開口部１４を閉じるので、ノズル出し入れ部２や局部洗浄ノズル３等への汚水の飛散を確実に防止できるようになる。
【００２５】
ここで、ボウル部１１の後部におけるリム部１２内部の収納空間１３内に、局部洗浄装置１のノズル出し入れ部２が収納されるので、ノズル出し入れ部２に対して外部から飛散する汚水が付着するおそれがなくなる。しかも、局部洗浄ノズル３が出入りするリム開口部１４がリム部１２の内側壁１２ｂに形成されているので、上下から飛散する汚水が内側壁１２ｂのリム開口部１４からは浸入しにくくなり、ノズル出し入れ部２や局部洗浄ノズル３等への汚れの付着を未然に防止できるようになる。また本例では、局部洗浄ノズル３をノズル出し入れ部２に格納した状態でリム開口部１４をシャッター部材４にて遮蔽しているので、ノズル出し入れ部２への汚水の飛散をシャッター部材４にて確実に防止できる。なおシャッター部材４は省略可能であり、この場合でも、局部洗浄ノズル３をノズル出し入れ部２に格納した状態で局部洗浄ノズル３の先端部３ａのみがリム開口部１４に露出させるようにすれば、仮りにリム開口部１４から汚水が浸入しても、局部洗浄ノズル３の先端部３ａのみに汚水が付着するだけで済み、ノズル出し入れ部２への汚れの付着を防止できるようになる。
【００２６】
また、上記のように局部洗浄装置１のノズル出し入れ部２を水洗便器１０のリム部１２内部に収納することにより、水洗便器１０と局部洗浄装置１の一体化が容易となり、一方ノズル出し入れ部２をリム部１２内部から抜き取ることにより、局部洗浄ノズル３のメンテナンス等も楽に行うことができるようになる。
【００２７】
さらに、リム部１２の下方に設けた洗浄水流路６から水平方向に洗浄水を吐出させることで、ボウル部１１の内面に旋回流水を形成するので、低い水圧で供給される洗浄水によってもボウル部１１全面を確実に洗浄できる利点がある。
【００２８】
また本例では、局部洗浄装置１の前面部１ｂ（図３）が、リム部１２の内側壁１２ｂから上方に向かう上方延長線の位置（図５（ａ））よりも後方Ｂ寄りに配置されているので、局部洗浄装置１の前面部１ｂによってリム部１２の内側壁１２ｂの視界が妨げられることがない。つまり、リム部１２の内側壁１２ｂ全体が死角にならず、使用者の目が届きやすくなる。従って、リム部１２の内側壁１２ｂ全体の汚れの付着状態を一目で確認でき且つ清掃も容易となる。
【００２９】
図６はシャッター部材４の他例であり、本例のシャッター部材４はノズル出し入れ部２の底面に設置したソレノイド４０等の動力源によってリム開口部１４の開閉動作を行なうものである。例えば、局部洗浄ノズル３の洗浄時の信号によりソレノイド４０が駆動して、回動リンク４１が前方イに回動してノズル出し入れ部２の底面を貫通する垂直ロッド４２を押し下げてシャッター部材４を開き、局部洗浄ノズル３による局部洗浄が可能となり、一方、局部洗浄ノズル３が収縮した時は、回動リンク４１が後方ロに回動して垂直ロッド４２を押し上げることでシャッター部材４が閉じられので、ノズル出し入れ部２は汚水の飛散を受けることがなくなる。
【００３０】
図７はシャッター部材４の更に他例であり、本例のシャッター部材４は、局部洗浄ノズル３の先端部３ａに取り付けられ、局部洗浄ノズル３の伸張・収縮に応じてシャッター部材４がリム開口部１４を開閉するようになっている。ここでは、局部洗浄ノズル３の先端部３ａの上面にノズル孔（図示せず）が形成され、先端部３ａの前面部分にシャッター部材４を取り付けているため、ノズル孔がシャッター部材４で塞がれる心配はない。また、局部洗浄ノズル３がおしり洗浄ノズルとビデ洗浄ノズルとからなる場合、両ノズルの先端部にそれぞれシャッター部材４を取り付けるようにしてもよい。しかして、局部洗浄ノズル３の伸張時には、シャッター部材４が局部洗浄ノズル３の先端部３ａに追随してリム開口部１４を開放するので局部洗浄ノズル３の先端部３ａをリム開口部１４から突出させて局部洗浄を行なうことができ、一方、局部洗浄ノズル３の収縮時は、局部洗浄ノズル３の先端部３ａに追随してシャッター部材４が後退してリム開口部１４を閉じるので、ノズル出し入れ部２及び局部洗浄ノズル３は汚水の飛散を受けることがなく、そのうえ局部洗浄ノズル３の伸張・収縮動作に応じてシャッター部材４がリム開口部１４を開閉するので、シャッター部材４を開閉する駆動手段を別途設ける必要がないため、シャッター部材４の構成を簡易化できる利点もある。
【００３１】
また上記図５〜図７の各実施形態において、シャッター部材４がリム開口部１４を閉じた状態でシャッター部材４の外面がリム部１２の内側壁１２ｂと略面一に配置されるのが望ましい。つまり、シャッター部材４で閉じられるとシャッター部材４の外面がリム部１２の内側壁１２ｂと略面一となるので、リム部１２の内側壁１２ｂを清掃する際にリム部１２の内側壁１２ｂとシャッター部材４の外面とを同時に清掃でき、清掃作業が容易になるだけでなく、最も汚れが付着しやすいシャッター部材４の外面を効率良く清掃できる。またこのときシャッター部材４はリム開口部１４に嵌め込まれて動かない状態にあるので、シャッター部材４の外面の清掃時にシャッター部材４がぐらつくことがなく清掃が容易であると共に、特に図７のように局部洗浄ノズル３の先端部３ａにシャッター部材４が一体に取り付けられている場合にあっては、局部洗浄ノズル３に負担をかけることなく清掃できるものとなる。しかも、シャッター部材４を閉じた状態では、見た目にもリム部１２の内側壁１２ｂとシャッター部材４の外面とが連続した一体感が得られるので、外観上の違和感を感じないようにでき、結果、清掃性と外観性の両方を向上させることができる。
【図面の簡単な説明】
【００３２】
【図１】本発明の一実施形態を示し、局部洗浄装置が付設される樹脂製の水洗便器がリム部とボウル部とスカート部とで構成される場合を説明するための一部破断した斜視図である。
【図２】同上の局部洗浄装置から便座及び便縁を取り外した状態を説明する斜視図である。
【図３】同上の局部洗浄装置の斜視図である。
【図４】同上の合成樹脂製便器の片側半分を実線で示し、もう片側半分を仮想線で表した斜視図である。
【図５】（ａ）は同上のシャッター部材を閉じた状態の説明図、（ｂ）はシャッター部材を開いて局部洗浄ノズルの先端部をリム開口部から突出させた状態を示し、（ａ）のＦ―Ｆ線断面図である。
【図６】（ａ）は他の実施形態のシャッター部材を閉じた状態の説明図、（ｂ）はシャッター部材を開いて局部洗浄ノズルの先端部をリム開口部から突出させた状態を示し、（ａ）のＸ―Ｘ線断面図である。
【図７】（ａ）は更に他の実施形態のシャッター部材を閉じた状態の説明図、（ｂ）はシャッター部材を開いて局部洗浄ノズルの先端部をリム開口部から突出させた状態を示し、（ａ）のＹ―Ｙ線断面図である。
【図８】（ａ）は従来例を説明する斜視図、（ｂ）は局部洗浄装置から突出するノズル出し入れ部をボウル部の内方に張り出して設置した場合の説明図である。
【符号の説明】
【００３３】
１  局部洗浄装置
１ｂ  前面部
２  ノズル出し入れ部
３  局部洗浄ノズル
３ａ  先端部
４  シャッター部材
４ａ  外面
１０  水洗便器
１１  ボウル部
１２  リム部
１２ｂ  内側壁
１４  リム開口部
Ａ  上方延長線
Ｂ  後方
Ｆ  前方
【図１】
2007191901.tif 000003
【図２】
2007191901.tif 000004
【図３】
2007191901.tif 000005
【図４】
2007191901.tif 000006
【図５】
2007191901.tif 000007
【図６】
2007191901.tif 000008
【図７】
2007191901.tif 000009
【図８】
2007191901.tif 000010